(57)【要約】【課題】Ｌ２スイッチを使用した広域イーササービスにおいて、ネットワーク保守性の向上や、運用コストダウンを目的とする。【解決手段】試験用ＭＡＣアドレスを宛先とするパケットと、受信時の試験動作モードの定義により、隣り合ったＬ２スイッチ間もしくは複数のＬ２スイッチを跨いだパケット導通の正常性（導通確認モード）や、どのＬ２スイッチを通過して導通しているかの検証（スイッチ導通トレースモード）さらに、ネットワークのループの検出を設定し、遠隔操作による試験によって確認する。【選択図】        図１
2004364065.tif 000002
【特許請求の範囲】
【請求項１】
試験用ＭＡＣアドレスを含む試験用パケットを送信する送信Ｌ２スイッチと、
導通の確認対象であり、前記試験用パケットを受信する受信Ｌ２スイッチと、
ネットワーク監視装置とがネットワークで接続されたＬ２スイッチ導通確認システムであって、
前記ネットワーク監視装置は、
試験モードの設定を前記受信Ｌ２スイッチに指示する試験モード設定指示手段と、
前記試験モードの設定および前記試験用パケットの送信を前記送信Ｌ２スイッチに指示する試験用パケット送信指示手段と、
試験結果を各Ｌ２スイッチより受信する試験結果受信手段とを有し、
前記送信Ｌ２スイッチは、
前記試験用パケット送信指示手段の指示により前記試験用ＭＡＣアドレスを宛先とする前記試験用パケットを生成する試験用パケット生成手段と、
前記試験用パケット生成手段により生成した前記試験用パケットを前記受信Ｌ２スイッチに送信する試験用パケット送信手段と、
前記試験結果を前記ネットワーク監視装置に結果通知する結果通知手段とを有し、
前記受信Ｌ２スイッチは、
前記試験用パケット送信手段により送信された前記試験用パケットを受信する少なくとも１つの試験用パケット受信手段と、
前記試験用パケット送信手段から受信した前記試験用パケットを検出する試験用パケット検出手段と、
パケット導通の正常性を確認する導通確認モード、または、どのＬ２スイッチを通過して導通しているかを検証するスイッチ導通トレースモードのうち、前記試験モード設定指示手段により設定されたいずれか一方を行う試験モード実行手段と、
前記試験用パケットが前記ネットワーク内を通過したことを前記ネットワーク監視装置に通知する通知手段とを有し、
前記試験用パケットを前記ネットワーク内に通過させることによって、隣り合ったＬ２スイッチ間もしくは複数のＬ２スイッチを跨いだパケット導通の正常性、または、どのＬ２スイッチを通過して導通しているかの検証を行うことを特徴とするＬ２スイッチ導通確認システム。
【請求項２】
前記通知手段は、前記試験用パケット検出手段によって、同一の試験用パケットが複数の前記試験用パケット受信手段から検出された場合、前記ネットワーク内にループが有ることを前記ネットワーク監視装置へ通知することを特徴とする請求項１記載のＬ２スイッチ導通確認システム。
【請求項３】
前記導通確認モードは、前記送信Ｌ２スイッチが、前記試験用パケットを送信し、導通確認対象の前記受信Ｌ２スイッチが、前記試験用試験パケットを検出した場合、送信元のＭＡＣアドレスへ前記試験用パケットを返信し、前記送信Ｌ２スイッチが、返信された前記試験用パケットを検出し、前記ネットワーク監視装置に結果通知することによって、前記ネットワークの双方向の導通確認を行うことを特徴とする請求項１記載のＬ２スイッチ導通確認システム。
【請求項４】
スイッチ導通トレースモードは、前記Ｌ２送信スイッチが、前記試験用パケットを送信し、前記スイッチ導通トレースモードが指定されたＬ２スイッチが、前記試験用パケットを検出した場合、前記ネットワーク監視装置へＳＮＭＰを用いて通知し、前記ネットワーク監視装置が、通知されたＳＮＭＰメッセージの送信元ＩＰアドレスおよびＭＩＢ個別情報から前記ＳＮＭＰ通知メッセージを送信したＬ２スイッチを特定し、前記試験用パケットが１対の固定ポート以外から入力されたことを検出することによって、前記ネットワーク内のループを検出することを特徴とする請求項１記載のＬ２スイッチ導通確認システム。
【請求項５】
ネットワーク監視装置と、導通確認対象のＬ２スイッチと、ネットワークを介して接続されるＬ２スイッチであって、
前記ネットワーク監視装置および導通確認対象のＬ２スイッチとそれぞれ接続する２以上の回線接続手段と、
前記ネットワーク監視装置から試験モードの設定および試験用パケットの送信を指示された際、試験パケット送信指示をする試験制御手段と、
試験用ＭＡＣアドレスを宛先とする試験用パケットを生成する試験用パケット送信制御手段と、
前記試験用パケットの個別部に試験対象のＶＬＡＮ番号を設定するＶＬＡＮ番号設定手段と、
前記導通確認対象のＬ２スイッチと接続する回線接続手段へ前記試験用パケットを送信する試験用パケット送信手段とを有し、
前記ネットワークを介して前記導通確認対象のＬ２スイッチへ前記試験用パケットを送信し、試験結果を前記ネットワーク監視装置に通知することを特徴とするＬ２スイッチ。
【請求項６】
ネットワーク監視装置と、試験用ＭＡＣアドレスを宛先に持つ試験用パケットを送信する送信Ｌ２スイッチと、ネットワークを介して接続され、導通確認対象とされるＬ２スイッチであって、
前記ネットワーク監視装置および前記送信Ｌ２スイッチとそれぞれ接続する２以上の回線接続手段と、
前記ネットワーク監視装置から試験モードの設定を指示された際、前記試験モードの設定をし、前記送信Ｌ２スイッチから受信した前記試験用パケットの検出を指示する試験制御手段と、
前記試験用パケットを検出する個別ＭＡＣ検出手段と、
前記送信Ｌ２スイッチと接続された回線接続手段の番号情報とともに、前記受信した試験用パケットを移送する試験用パケット移送手段と、
前記試験用パケットの試験用ＭＡＣアドレスの正常性を確認後、前記試験制御手段に前記試験用パケットを送る試験用パケット受信手段とを有し、
前記試験制御手段は、隣り合ったＬ２スイッチ間もしくは複数のＬ２スイッチを跨いだパケット導通の正常性を確認する導通確認モード、または、どのＬ２スイッチを通過して導通しているかを検証するスイッチ導通トレースモードのうち、予め設定されたいずれか一方の試験モードを行うことを特徴とするＬ２スイッチ。
【請求項７】
入力されたパケットを解析する入力パケット解析手段と、
スイッチングを行うスイッチ手段とをさらに有し、
前記試験モードの設定がされていない場合、前記回線接続手段から入力されたパケットは、前記入力パケット解析手段を経て設定されたＶＬＡＮの回線へとスイッチ手段にてスイッチングされることを特徴とする請求項６記載のＬ２スイッチ。
【請求項８】
前記試験制御部で前記導通確認モードを設定されている場合、前記送信Ｌ２スイッチから受信した前記試験用パケットの宛先ＭＡＣアドレスと送信元ＭＡＣアドレスとを入れ替えて、前記試験用パケットを受信した前記回線接続手段に対して返信する試験パケット送信制御手段をさらに有することを特徴とする請求項６記載のＬ２スイッチ。
【請求項９】
前記試験制御部で前記スイッチ導通トレースモードが設定されている場合、前記試験用パケットの個別部の試験対象のＶＬＡＮ番号の正常性を確認する接続制御手段と、
試験対象であるＶＬＡＮに属している回線接続手段の状態を確認する回線状態保持手段とをさらに有し、
前記試験用パケットを受信した回線接続手段以外の、前記ＶＬＡＮが属する回線接続手段全てへ前記試験用パケットを転送することを特徴とする請求項６記載のＬ２スイッチ。
【請求項１０】
前記スイッチ導通トレースモードが設定されている場合、前記試験用パケットを転送すると同時に、前記試験用パケットが通過したことを前記ネットワーク監視装置に通知することを特徴とする請求項６または９記載のＬ２スイッチ。
【請求項１１】
前記試験制御手段によって、同一の試験用パケットを複数の回線接続手段から受信したことを検出した場合、前記ネットワーク内にループが有ることを前記ネットワーク監視装置へ通知することを特徴とする請求項６記載のＬ２スイッチ。
【請求項１２】
試験用ＭＡＣアドレスを含む試験用パケットを送信する送信Ｌ２スイッチと、
導通の確認対象であり、前記試験用パケットを受信する受信Ｌ２スイッチと、
ネットワーク監視装置とがネットワークで接続されたＬ２スイッチ導通確認システムで用いられるＬ２スイッチ導通確認方法であって、
前記ネットワーク監視装置が、試験モードの設定を前記受信Ｌ２スイッチに指示し、前記試験用パケットの送信および前記試験モードの設定を前記送信Ｌ２スイッチに指示する試験用パケット送信指示工程と、
前記送信Ｌ２スイッチが、前記試験用ＭＡＣアドレスを宛先とする前記試験用パケットを生成する試験用パケット生成工程と、
前記送信Ｌ２スイッチが、前記試験用パケット生成手段により生成した前記試験用パケットを前記受信Ｌ２スイッチに送信する試験用パケット送信工程と、
前記受信Ｌ２スイッチが、前記試験用パケット送信手段から受信した前記試験用パケットを検出する試験用パケット検出工程と、
前記試験用パケットを前記ネットワーク内に通過させることによって、パケット導通の正常性を確認する導通確認モード、または、どのＬ２スイッチを通過して導通しているかを検証するスイッチ導通トレースモードのうち、予め設定されたいずれか一方を行う試験モード実行工程と、
前記試験用パケットが前記ネットワーク内を通過したことを前記ネットワーク監視装置に通知する通知工程とを有し、
隣り合ったＬ２スイッチ間もしくは複数のＬ２スイッチを跨いだパケット導通の正常性、どのＬ２スイッチを通過して導通しているかの検証、および前記ネットワークのループの検出を行うことを特徴とするＬ２スイッチ導通確認方法。
【請求項１３】
前記導通確認モードは、前記送信Ｌ２スイッチが、前記試験用パケットを送信し、導通確認対象の前記受信Ｌ２スイッチが、前記試験用試験パケットを検出した場合、送信元のＭＡＣアドレスへ前記試験用パケットを返信し、前記送信Ｌ２スイッチが、返信された前記試験用パケットを検出することによって、前記ネットワークの双方向の導通確認を行うことを特徴とする請求項１２記載のＬ２スイッチ導通確認方法。
【請求項１４】
前記スイッチ導通トレースモードは、前記Ｌ２送信スイッチが、前記試験用パケットを送信し、前記スイッチ導通トレースモードが指定されたＬ２スイッチが、前記試験用パケットを検出した場合、前記ネットワーク監視装置へＳＮＭＰを用いて通知し、前記ネットワーク監視装置が、通知されたＳＮＭＰメッセージの送信元ＩＰアドレスおよびＭＩＢ個別情報から前記ＳＮＭＰ通知メッセージを送信したＬ２スイッチを特定し、前記試験用パケットが１対の固定ポート以外から入力されたことを検出することによって、前記ネットワーク内のループを検出することを特徴とする請求項１２記載のＬ２スイッチ導通確認方法。
【発明の詳細な説明】
【０００１】
【発明の属する技術分野】
本発明は、広域イーサネット（Ｒ）におけるＬ２スイッチ導通確認システム、Ｌ２スイッチおよびＬ２スイッチ導通確認方法に関する。
【０００２】
【従来の技術】
広域イーササービスなどで新規加入者が契約されるとサービス開始前に加入者が属しているＶＬＡＮの導通確認を行うのが一般的であり、加入者の設備機器があるところまでネットワーク保守者が出向き試験用のネットワーク機器を持ち込み、導通試験を行うのが通常である。また、加入者間や加入者とＩＳＰ間には複数のネットワーク設備を経由して接続されるのが一般的である。
【０００３】
図１２が、加入者間や、加入者とＩＳＰ接続までに使用される一般的なシステム構成であり、多くの機材を経由して接続されているのがわかる。例えば、企業Ｓ１２１５が加入すると、エッジＬ２ＳＷＳ１２０９から、集約Ｌ２ＳＷＳ１２０５を経由し、コアＬ２ＳＷＳ１２０３を介してインターネットＩＳＰ−Ａ（Ｓ１２０１）へ接続される。また、これらのＬ２ＳＷは地理的に離れた場所に設置されていることも珍しくない。企業Ｓ１２１５が広域イーササービスに加入すると、ネットワーク保守者は企業Ｓ１２１５まで出向き試験用のネットワーク機器を使用してインターネットＩＳＰ−Ａ（Ｓ１２０１）への接続を確認する。この場合、企業Ｓ１２１５とインターネットＩＳＰ−Ａ（Ｓ１２０１）への接続の確認ができなかった場合、エッジＬ２ＳＷＳ１２０９、集約Ｌ２ＳＷＳ１２０５、コアＬ２ＳＷＳ１２０３のコンフィグレーションの設定や、Ｌ２ＳＷ間のケーブルの状態を個々に確認していかなければならず、導通不具合がどの装置の間で発生しているのかを検証するのに時間とコストがかかってしまう。
【０００４】
つまり、加入者間や、加入者とＩＳＰとの導通の確認ができなかった場合、途中のネットワーク設備の設定に不具合があるとネットワーク設備の設定を個々に確認していかなければならず、導通不具合がどの装置の間で発生しているのかを検証するのに時間とコストがかかってしまう。
【０００５】
従来の技術例として、スイッチングハブに接続した試験機より全てのＭＡＣアドレスをＳＡおよび全ての相手先のＭＡＣアドレスをＤＡとして順次設定したパケットをスイッチングハブに送信してアドレステーブルを作成した後、受信したパケットについてアドレステーブルを参照してＤＡポートにのみ送信してその返答を送信元で受け、スイッチングハブのフィルタリング機能の正常／異常の試験を簡易に表現する「スイッチングハブ試験方法」がある（例えば、特許文献１参照）。また、小型軽量かつワンタッチで試験操作を行うことができ、ネットワークを介して接続されるネットワーク構成機器間の疎通状態を確認する「ネットワーク疎通試験器」がある（例えば、特許文献２参照）。
【０００６】
【特許文献１】
特開平１０−１３４５２号公報
【特許文献２】
特開平１１−３２０００号公報
【０００７】
【発明が解決しようとする課題】
しかしながら、上記特許文献１および２記載の発明は、ネットワーク上の送信側の機器と受信側の機器の導通を確認することはできたが、複数のＬ２スイッチにわたるパケット導通の正常性の確認や、どのＬ２スイッチを通過して導通しているかという検証、さらにネットワークのループの検出といった複数の試験モードから実行する試験を選択し、設定することはできなかった。
【０００８】
よって、上述した導通不具合発生時の不具合箇所がネットワーク上のどの部分で発生しているかの検証を遠隔操作により簡単に検証できるようにし、ネットワーク保守のコストダウンを可能にすることが望まれる。
【０００９】
本発明は、上記事情に鑑みてなされたものであり、Ｌ２スイッチを使用した広域イーササービスにおいて２点間のＬ２スイッチの導通確認や、複数のＬ２スイッチの導通確認および、ネットワークのループの検出を、遠隔操作による試験によって確認することによりネットワーク保守性の向上や、運用コストダウンを実現するＬ２スイッチ導通確認システム、Ｌ２スイッチおよびＬ２スイッチ導通確認方法を提供することを目的とする。
【００１０】
【課題を解決するための手段】
かかる目的を達成するために、請求項１記載のＬ２スイッチ導通確認システムは、試験用ＭＡＣアドレスを含む試験用パケットを送信する送信Ｌ２スイッチと、導通の確認対象であり、試験用パケットを受信する受信Ｌ２スイッチと、ネットワーク監視装置とがネットワークで接続されたＬ２スイッチ導通確認システムであって、ネットワーク監視装置は、試験モードの設定を受信Ｌ２スイッチに指示する試験モード設定指示手段と、試験モードの設定および試験用パケットの送信を送信Ｌ２スイッチに指示する試験用パケット送信指示手段と、試験結果を各Ｌ２スイッチより受信する試験結果受信手段とを有し、送信Ｌ２スイッチは、試験用パケット送信指示手段の指示により試験用ＭＡＣアドレスを宛先とする試験用パケットを生成する試験用パケット生成手段と、試験用パケット生成手段により生成した試験用パケットを受信Ｌ２スイッチに送信する試験用パケット送信手段と、試験結果をネットワーク監視装置に結果通知する結果通知手段とを有し、受信Ｌ２スイッチは、試験用パケット送信手段により送信された試験用パケットを受信する少なくとも１つの試験用パケット受信手段と、試験用パケット送信手段から受信した試験用パケットを検出する試験用パケット検出手段と、パケット導通の正常性を確認する導通確認モード、または、どのＬ２スイッチを通過して導通しているかを検証するスイッチ導通トレースモードのうち、試験モード設定指示手段により設定されたいずれか一方を行う試験モード実行手段と、試験用パケットがネットワーク内を通過したことをネットワーク監視装置に通知する通知手段とを有し、試験用パケットをネットワーク内に通過させることによって、隣り合ったＬ２スイッチ間もしくは複数のＬ２スイッチを跨いだパケット導通の正常性、または、どのＬ２スイッチを通過して導通しているかの検証を行うことを特徴とする。
【００１１】
請求項２記載のＬ２スイッチ導通システムは、請求項１記載のＬ２スイッチ導通システムにおいて、通知手段は、試験用パケット検出手段によって、同一の試験用パケットが複数の試験用パケット受信手段から検出された場合、ネットワーク内にループが有ることをネットワーク監視装置へ通知することを特徴とする。
【００１２】
請求項３記載のＬ２スイッチ導通システムは、請求項１記載のＬ２スイッチ導通システムにおいて、導通確認モードは、送信Ｌ２スイッチが、試験用パケットを送信し、導通確認対象の受信Ｌ２スイッチが、試験用パケットを検出した場合、送信元のＭＡＣアドレスへ試験パケットを返信し、送信Ｌ２スイッチが、返信された試験用パケットを検出し、ネットワーク監視装置に結果通知することによって、ネットワークの双方向の導通確認を行うことを特徴とする。
【００１３】
請求項４記載のＬ２スイッチ導通システムは、請求項１記載のＬ２スイッチ導通システムにおいて、スイッチ導通トレースモードは、Ｌ２送信スイッチが、試験用パケットを送信し、スイッチ導通トレースモードが指定されたＬ２スイッチが、試験用パケットを検出した場合、ネットワーク監視装置へＳＮＭＰを用いて通知し、ネットワーク監視装置が、通知されたＳＮＭＰメッセージの送信元ＩＰアドレスおよびＭＩＢ個別情報からＳＮＭＰ通知メッセージを送信したＬ２スイッチを特定し、試験パケットが１対の固定ポート以外から入力されたことを検出することによって、ネットワーク内のループを検出することを特徴とする。
【００１４】
請求項５記載のＬ２スイッチは、ネットワーク監視装置と、導通確認対象のＬ２スイッチと、ネットワークを介して接続されるＬ２スイッチであって、ネットワーク監視装置および導通確認対象のＬ２スイッチとそれぞれ接続する２以上の回線接続手段と、ネットワーク監視装置から試験モードの設定および試験用パケットの送信を指示された際、試験パケット送信指示をする試験制御手段と、試験用ＭＡＣアドレスを宛先とする試験用パケットを生成する試験用パケット送信制御手段と、試験用パケットの個別部に試験対象のＶＬＡＮ番号を設定するＶＬＡＮ番号設定手段と、導通確認対象のＬ２スイッチと接続する回線接続手段へ試験用パケットを送信する試験用パケット送信手段とを有し、ネットワークを介して導通確認対象のＬ２スイッチへ試験用パケットを送信し、試験結果をネットワーク監視装置に通知することを特徴とする。
【００１５】
請求項６記載のＬ２スイッチは、ネットワーク監視装置と、試験用ＭＡＣアドレスを宛先に持つ試験用パケットを送信する送信Ｌ２スイッチと、ネットワークを介して接続され、導通確認対象とされるＬ２スイッチであって、ネットワーク監視装置および送信Ｌ２スイッチとそれぞれ接続する２以上の回線接続手段と、ネットワーク監視装置から試験モードの設定を指示された際、試験モードの設定をし、送信Ｌ２スイッチから受信した試験用パケットの検出を指示する試験制御手段と、試験用パケットを検出する個別ＭＡＣ検出手段と、送信Ｌ２スイッチと接続された回線接続手段の番号情報とともに、受信した試験用パケットを送る試験用パケット移送手段と、試験用パケットの試験用ＭＡＣアドレスの正常性を確認後、試験制御手段に試験用パケットを送る試験用パケット受信手段とを有し、試験制御手段は、隣り合ったＬ２スイッチ間もしくは複数のＬ２スイッチを跨いだパケット導通の正常性を確認する導通確認モード、または、どのＬ２スイッチを通過して導通しているかを検証するスイッチ導通トレースモードのうち、予め設定されたいずれか一方の試験モードを行うことを特徴とする。
【００１６】
請求項７記載のＬ２スイッチは、請求項６記載のＬ２スイッチにおいて、入力されたパケットを解析する入力パケット解析手段と、スイッチングを行うスイッチ手段とをさらに有し、試験モードの設定がされていない場合、回線接続手段から入力されたパケットは、入力パケット解析手段を経て設定されたＶＬＡＮの回線へとスイッチ手段にてスイッチングされることを特徴とする。
【００１７】
請求項８記載のＬ２スイッチは、請求項６記載のＬ２スイッチにおいて、試験制御部で導通確認モードを設定されている場合、送信Ｌ２スイッチから受信した試験用パケットの宛先ＭＡＣアドレスと送信元ＭＡＣアドレスとを入れ替えて、試験用パケットを受信した回線接続手段に対して返信する試験パケット送信制御手段をさらに有することを特徴とする。
【００１８】
請求項９記載のＬ２スイッチは、請求項６記載のＬ２スイッチにおいて、試験制御部でスイッチ導通トレースモードが設定されている場合、試験用パケットの個別部の試験対象のＶＬＡＮ番号の正常性を確認する接続制御手段と、試験対象であるＶＬＡＮに属している回線接続手段の状態を確認する回線状態保持手段とをさらに有し、試験用パケットを受信した回線接続手段以外の、ＶＬＡＮが属する回線接続手段全てへ試験用パケットを転送することを特徴とする。
【００１９】
請求項１０記載のＬ２スイッチは、請求項６または９記載のＬ２スイッチにおいて、スイッチ導通トレースモードが設定されている場合、試験用パケットを転送すると同時に、試験用パケットが通過したことをネットワーク監視装置に通知することを特徴とする。
【００２０】
請求項１１記載のＬ２スイッチは、請求項６記載のＬ２スイッチにおいて、試験制御手段によって、同一の試験用パケットを複数の回線接続手段から受信したことを検出した場合、ネットワーク内にループが有ることをネットワーク監視装置へ通知することを特徴とする。
【００２１】
請求項１２記載のＬ２スイッチ導通確認方法は、試験用ＭＡＣアドレスを含む試験用パケットを送信する送信Ｌ２スイッチと、導通の確認対象であり、試験用パケットを受信する受信Ｌ２スイッチと、ネットワーク監視装置とがネットワークで接続されたＬ２スイッチ導通確認システムで用いられるＬ２スイッチ導通確認方法であって、ネットワーク監視装置が、試験モードの設定を受信Ｌ２スイッチに指示し、試験用パケットの送信および試験モードの設定を送信Ｌ２スイッチに指示する試験用パケット送信指示工程と、送信Ｌ２スイッチが、試験用ＭＡＣアドレスを宛先とする試験用パケットを生成する試験用パケット生成工程と、送信Ｌ２スイッチが、試験用パケット生成手段により生成した試験用パケットを受信Ｌ２スイッチに送信する試験用パケット送信工程と、受信Ｌ２スイッチが、試験用パケット送信手段から受信した試験用パケットを検出する試験用パケット検出工程と、試験用パケットをネットワーク内に通過させることによって、パケット導通の正常性を確認する導通確認モード、または、どのＬ２スイッチを通過して導通しているかを検証するスイッチ導通トレースモードのうち、予め設定されたいずれか一方を行う試験モード実行工程と、試験用パケットがネットワーク内を通過したことをネットワーク監視装置に通知する通知工程とを有し、隣り合ったＬ２スイッチ間もしくは複数のＬ２スイッチを跨いだパケット導通の正常性、どのＬ２スイッチを通過して導通しているかの検証、およびネットワークのループの検出を行うことを特徴とする。
【００２２】
請求項１３記載のＬ２スイッチ導通確認方法は、請求項１２記載のＬ２スイッチ導通確認方法において、導通確認モードは、送信Ｌ２スイッチが、試験用パケットを送信し、導通確認対象の受信Ｌ２スイッチが、試験用試験パケットを検出した場合、送信元のＭＡＣアドレスへ試験用パケットを返信し、送信Ｌ２スイッチが、返信された試験用パケットを検出することによって、ネットワークの双方向の導通確認を行うことを特徴とする。
【００２３】
請求項１４記載のＬ２スイッチ導通確認方法は、請求項１２記載のＬ２スイッチ導通確認方法において、スイッチ導通トレースモードは、Ｌ２送信スイッチが、試験用パケットを送信し、スイッチ導通トレースモードが指定されたＬ２スイッチが、試験用パケットを検出した場合、ネットワーク監視装置へＳＮＭＰを用いて通知し、ネットワーク監視装置が、通知されたＳＮＭＰメッセージの送信元ＩＰアドレスおよびＭＩＢ個別情報からＳＮＭＰ通知メッセージを送信したＬ２スイッチを特定し、試験パケットが１対の固定ポート以外から入力されたことを検出することによって、ネットワーク内のループを検出することを特徴とする。
【００２４】
【発明の実施の形態】
以下、本発明の実施形態について、添付図面を参照して詳細に説明する。
【００２５】
本発明の実施例では、試験用のＭＡＣアドレスを使用し試験用ＭＡＣアドレスを含む試験パケットをネットワーク内に通過させ導通を確認したいＬ２スイッチに試験用のＭＡＣアドレスを有する試験パケットを検出させることにより、隣り合ったＬ２スイッチ間もしくは複数のＬ２スイッチを跨いだパケット導通の正常性（導通確認モード）や、どのＬ２スイッチを通過して導通しているかの検証（スイッチ導通トレースモード）を行うことができる。
【００２６】
導通確認モード時は、試験パケット送信スイッチが試験用ＭＡＣアドレスを宛先に設定された試験パケットを送信する。導通確認対象のＬ２スイッチにて試験用ＭＡＣアドレスを宛先に持つ試験パケットを検出した場合、試験送信元のＭＡＣアドレスへ試験パケットを返信する。試験パケット送信スイッチにて返信された試験パケットを検出し、ネットワークの双方向の導通の確認を行うことができる。
【００２７】
スイッチ導通トレースモード時は、試験パケット送信スイッチが試験用ＭＡＣアドレスを宛先に設定された試験パケットを送信する。スイッチ導通トレースモードが指定されたＬ２スイッチにて試験用ＭＡＣアドレスを宛先に持つ試験パケットを検出した場合、ネットワーク監視装置へＳＮＭＰを用いて通知する。ネットワーク監視装置では、通知されたＳＮＭＰメッセージの送信元ＩＰアドレスや、ＭＩＢ個別情報から通知メッセージを送信したＬ２スイッチを特定する。また、通常加入者間や、加入者とＩＳＰとの導通は、入出力で使用する回線のポートは、あるＬ２スイッチで見た場合１対の固定ポートである。このため、試験パケットが１対の固定ポート以外から入力されたことを検出する事によりネットワーク内のループを検出することができる。
【００２８】
図１は本発明の原理的構成図を示す。１０１はスイッチ、１０２は入力パケット解析装置、１０３Ａ、１０３Ｂ、１０４は回線ポート、１０５は個別ＭＡＣ検出装置、１０６はＣＰＵ、１０７はメモリ、１０８は制御装置、１０９は制御装置内の回線状態保持部、１１０は制御装置内の接続制御部、１１１は制御装置内の試験パケット送信部、１１２は制御装置内の試験パケット受信部、１１３は制御装置内の試験制御部、１１４は制御装置内のネットワーク監視装置メッセージ送信制御部を表す。
【００２９】
回線ポート１０３Ａ、１０３Ｂ、１０４はそれぞれ図示されない隣のＬ２スイッチや加入者、もしくはｔｅｌｎｅｔや、ＳＮＭＰを用いてネットワークの監視装置に接続されており、イーサネット（Ｒ）や、ＶＬＡＮの形式によりトラフィックが導通するものである。ここでは、ネットワーク監視装置は回線ポート１０４に接続されていると仮定する。また、導通を確認する対象のＬ２スイッチは回線ポート１０３Ａに接続されていると仮定する。
【００３０】
図１の原理図に示すように、Ｌ２スイッチから見た回線はそれぞれ図示されない隣のＬ２スイッチや加入者、もしくはｔｅｌｎｅｔや、ＳＮＭＰを用いてネットワークの監視装置に接続されているのが回線１０３Ａ、１０３Ｂ、１０４である。発明の特性上、パケットを送信するＬ２スイッチと、パケットを受信するＬ２スイッチの動作に分けられる。
【００３１】
送信側の動作を説明する。ネットワーク監視装置は回線ポート１０４に接続されていると仮定する。また、導通を確認する対象のＬ２スイッチは回線ポート１０３Ａに接続されていると仮定する。
【００３２】
ネットワークの監視装置から、回線ポート１０４を経由して、試験モードの設定と試験パケットの送信を指示されると制御装置１０８内の試験制御部１１３から試験パケット送信制御部１１１に試験パケット送信指示がされ試験用ＭＡＣアドレスを宛先とする試験パケットを生成し、スイッチ１０１を経由して指定回線ポート１０３Ａに送信される。このとき試験パケットの個別部には試験対象のＶＬＡＮ番号が設定される。
【００３３】
次に、受信側の動作を説明する。ネットワーク監視装置は回線ポート１０４に接続されていると仮定する。また、導通を確認する対象のＬ２スイッチは回線ポート１０３Ａに接続されていると仮定する。
【００３４】
ネットワークの監視装置から、回線ポート１０４を経由して、試験モードの設定がされると、制御装置１０８内の試験制御部１１３から試験パケット受信部１１２を経て個別ＭＡＣ検出装置１０５に対して試験用ＭＡＣアドレスを宛先に持つ試験パケットの検出を指示する。
【００３５】
試験モード設定がされていない場合は、通常回線ポート１０３Ａから入力されたパケットは入力パケット解析装置１０２を経て設定されたＶＬＡＮの回線へとスイッチ部１０１にてスイッチングされるが、試験モード設定時は、個別ＭＡＣ検出装置１０５において試験パケットを検出時に制御装置１０８に通知する設定がされているため、受信した試験パケットを受信した回線ポート番号の情報と共に制御装置１０８へ送る。
【００３６】
制御装置１０８では、試験パケット受信部１１２にて試験ＭＡＣアドレスの正常性を確認後、試験制御部１１３へ送る。試験制御部１１３では設定されている試験モードにより動作が異なる。試験制御部１１３で導通確認モードが設定されている場合、試験パケット送信制御部１１１にて受信した試験パケットの宛先ＭＡＣ、送信元ＭＡＣアドレスを入れ替えて受信したポートに対して返信する。
【００３７】
試験制御部１１３でスイッチ導通トレースモードが設定されている場合、試験パケットの個別部の試験対象のＶＬＡＮ番号を接続制御部１１０にて正常性を確認した後、試験対象ＶＬＡＮに属しているポートの状態を回線状態保持部１０９にて確認後、ＶＬＡＮが属する回線ポート全てへ試験パケットを転送する。このとき試験パケットを受信したポートに対しては転送しない。また、これと同時にネットワーク監視装置メッセージ送信制御部１１４を経由して試験パケットが通過したことをネットワーク監視装置に通知する。また、試験制御部１１３にて同一試験パケットを複数のポートから受信したことを検出した場合、ネットワーク監視装置メッセージ送信制御部１１４を経由してネットワーク内にループが有ることをネットワーク監視装置へ通知する。
【００３８】
このように、本発明の実施形態によれば、試験用ＭＡＣアドレスを宛先とするパケットと、受信時の試験動作モードの定義により隣り合ったＬ２スイッチ間もしくは複数のＬ２スイッチを跨いだパケット導通の正常性（導通確認モード）や、どのＬ２スイッチを通過して導通しているかの検証（スイッチ導通トレースモード）、さらにネットワークのループの検出が行える。
【００３９】
本発明の実施例の構成を図２に示す。図２は一般的な広域イーサネット（Ｒ）サービスのネットワーク階梯をモデル化したものである。２０１〜２０６はレイヤ２スイッチ（以下、Ｌ２ＳＷ）で、２０１はコアＬ２ＳＷ、２０２は集約Ｌ２ＳＷ、２０３はエッジＬ２ＳＷとする。２０７はネットワーク監視装置である。２０１〜２０６のＬ２ＳＷ間はイーサネット（Ｒ）で接続される。
【００４０】
２０１〜２０６のＬ２ＳＷと、２０７のネットワーク監視装置は、イーサネット（Ｒ）で接続され、ｔｅｌｎｅｔによるコマンドインタフェースまたは、ＳＮＭＰによってインタフェースしている。
【００４１】
次に、本発明の実施例の動作について説明する。試験には、動作モードがあり、動作モードにより各スイッチでの試験パケット受信時の動作が異なる。動作モードは、ネットワーク監視装置から設定される。
【００４２】
動作モードは導通確認モードと、スイッチ導通トレースモードがありそれぞれの動作について説明する。
【００４３】
まず、導通確認モードの説明を行う。図１の本発明の原理図にもとづく動作を説明し、続いて、図２の本発明の実施例の動作を図３に示すシーケンス図と図５〜図６に示す試験パケットフォーマットさらに、図８〜図１０の処理フロー図を用いて説明する。発明の特性上、パケットを送信するＬ２ＳＷと、パケットを受信するＬ２ＳＷの動作に分けられる。
【００４４】
以下に導通確認モードの送信Ｌ２ＳＷ側の動作を説明する。図１においてネットワーク監視装置は回線ポート１０４に接続されていると仮定する。また、導通を確認する対象のＬ２スイッチは回線ポート１０３Ａに接続されていると仮定する。
【００４５】
ネットワークの監視装置から、回線ポート１０４を経由して、試験モード、試験ＶＬＡＮ番号の指定、試験パケットの送信回線ポートを設定されると試験制御部１１３に通知され、試験制御部１１３から試験パケット受信部１１２を経て個別ＭＡＣ検出装置１０５に対して送信した試験パケットの応答パケットを受信するため自装置ＭＡＣアドレスを宛先に持つ試験パケットの検出を指示する。
【００４６】
次に、試験制御部１１３から試験パケット送信制御部１１１に試験パケット送信指示がされ試験用ＭＡＣアドレスを宛先とする試験パケットを生成し試験ＶＬＡＮ、試験モード、試験番号を設定した後、スイッチ１０１を経由して指定回線ポート１０３Ａに送信される。
【００４７】
以下に導通確認モードの受信Ｌ２ＳＷ側の動作を説明する。ネットワーク監視装置は回線ポート１０４に接続されていると仮定する。また、試験パケット送信スイッチは回線ポート１０３Ａに接続されていると仮定する。
【００４８】
ネットワークの監視装置から、回線ポート１０４を経由して、試験モードを設定されると、試験制御部１１３に通知され試験制御部１１３から試験パケット受信部１１２を経て個別ＭＡＣ検出装置１０５に対して試験パケットを受信するため試験パケットＭＡＣアドレスを宛先に持つ試験パケットの検出を指示する。また、個別ＭＡＣ検出装置１０５は、入力パケット解析装置１０２に対して受信したパケットを個別ＭＡＣ検出装置１０５へ通知するように設定する。
【００４９】
次に、回線ポート１０３Ａからパケットを受信すると、入力パケット解析装置１０２を経て個別ＭＡＣ検出装置１０５へ渡され受信したパケットが、試験用ＭＡＣアドレスを宛先とする試験パケットだった場合は試験パケット受信部１１２へ通知され試験パケットの正常性を確認した後、受信した回線ポート１０３Ａのポート番号情報と併せて試験制御部１１３へ渡される。
【００５０】
試験制御部１１３では試験モードを確認し、導通確認モードの場合、自装置に設定されているスイッチ名を試験パケットに設定し、試験パケット送信部１１１へ送信する回線ポート番号情報と併せて試験パケットの返信要求を行う。試験パケット送信部１１１では、試験パケットのＳＡとＤＡのＭＡＣアドレスを入れ替え後指定回線ポート１０３Ａへ試験パケットを返信する。
【００５１】
図３において試験パケット送信Ｌ２ＳＷを図２におけるＬ２ＳＷ２０１とし、図３の試験パケット中継Ｌ２ＳＷは図２のＬ２ＳＷ２０２とする。図３の導通確認対象Ｌ２ＳＷは図２のＬ２ＳＷ２０４とする。図３のネットワーク監視装置は図２のネットワーク監視装置２０７とする。Ｌ２ＳＷ２０１から送信される試験パケットのフォーマットを図５に示す。Ｌ２ＳＷ２０４から返信される試験パケットのフォーマットを図６に示す。試験パケット送信Ｌ２ＳＷにおける送信フローチャートを図８に示す。試験パケット送信Ｌ２ＳＷにおける受信フローチャートを図９に示す。導通確認対象Ｌ２ＳＷにおける送受信フローチャートを図１０に示す。
【００５２】
図３において、ネットワーク監視装置から試験パケット送信Ｌ２ＳＷに対して導通確認モード設定を行う（１）。同様に、ネットワーク監視装置から導通確認対象Ｌ２ＳＷに対して導通確認モード設定を行う（２）。図２において、Ｌ２ＳＷ２０１、Ｌ２ＳＷ２０４は導通確認モード設定状態となる。
【００５３】
図３において、ネットワーク監視装置から試験パケット送信Ｌ２ＳＷに対して試験パケット送信要求（３）を行う。このとき同時に、試験ＶＬＡＮ番号の指定、試験パケットの送信回線ポートを設定も行う。送信要求された試験パケット送信Ｌ２ＳＷは、図５のフォーマットの試験パケットを、図８に示すフローチャートに従って編集する。まず、ネットワーク監視装置から設定された試験モードの判別を行う（図８のＳ８０１、Ｓ８０２）。導通確認モード時、図５のＤＡ〜パディングまでの設定を行う（図８のＳ８０３〜Ｓ８１１）。返信された試験フレームを受信するため図１の個別ＭＡＣ検出装置１０５へ自装置のＭＡＣを登録する（図８のＳ８１２）。
【００５４】
図３において、試験ネットワーク監視装置から指定された回線ポートへ試験パケットを送信する（４）（図８のＳ８１３）。図５のＦＣＳは送信時に図１の試験パケット送信部１１１内のハードウェアで自動計算され設定される。試験パケットを受信した導通確認対象Ｌ２ＳＷは、図１の入力パケット解析装置１０２を経て個別ＭＡＣ検出装置１０５へ渡され、受信パケットのＤＡが試験用ＭＡＣアドレスか判別される（図１０のＳ１００１）。試験用ＭＡＣアドレスをＤＡにもつパケットである場合、受信した回線ポート番号情報と共に図１の試験パケット受信部１１２を経由して、図１１３の試験制御部に渡され導通確認モード時には、図６のフォーマットの返信パケットを生成する。自装置に設定されているスイッチ名を読み出して（図１０のＳ１００５）スイッチ名の長さを計算する（図１０のＳ１００６）。スイッチ名の長さを計算した後図６のｓｙｓｎａｍｅ＿ｌｅｎｇｔｈフィールドへ設定する（図１０のＳ１００７）。スイッチ名を図６のｓｙｓｎａｍｅ  フィールドへ設定する（図１０のＳ１００８）。試験パケットのＳＡとＤＡのＭＡＣアドレスを入れ替え（図１０のＳ１００９）設定する。
【００５５】
図３において受信した回線ポートへ試験パケットを返信（５）（図１０のＳ１０１０）。返信された試験パケットを受信した試験パケット送信Ｌ２ＳＷは図１の入力パケット解析装置１０２を経て個別ＭＡＣ検出装置１０５へ渡され、受信パケットのＤＡが自装置のＭＡＣアドレスか判別される（図９のＳ９０１）。自装置にＭＡＣアドレスをＤＡにもつパケットである場合試験モードを判別し（図９のＳ９０２、Ｓ９０３）導通確認モードの場合、返信された図６で示されるフォーマットで試験パケットの正常性を判別する（Ｓ９０４〜Ｓ９１０）。正常性が確認できると図６に設定されているｓｙｓｎａｍｅ＿ｌｅｎｇｔｈ分ｓｙｓｎａｍｅ  を読み出し（図９のＳ９１１）、図３においてネットワーク監視装置へ導通確認試験の結果通知と共に通知される（６）（図９のＳ９１２）。
【００５６】
図３においてネットワーク監視装置から試験パケット送信Ｌ２ＳＷに導通確認モード解除（７）、導通確認対象Ｌ２ＳＷに導通確認モード解除（８）する。試験モードを解除されるとそれぞれのＬ２ＳＷにおける図１内個別ＭＡＣ検出装置１０５に対する設定をクリアする。
【００５７】
次に、スイッチ導通トレースモードの説明を行う。図１の本発明の原理図にもとづく動作を説明し、続いて、図２の本発明の実施例の動作を図４に示すシーケンス図と図７に示す試験パケットフォーマットさらに、図８、図１０、図１１の処理フロー図を用いて説明する。発明の特性上、パケットを送信するＬ２ＳＷと、パケットを受信するＬ２ＳＷの動作に分けられる。
【００５８】
以下にスイッチ導通トレースモードの送信Ｌ２ＳＷ側の動作を説明する。図１においてネットワーク監視装置は回線ポート１０４に接続されていると仮定する。また、導通を確認する対象のＬ２スイッチは回線ポート１０３Ａに接続されていると仮定する。
【００５９】
ネットワークの監視装置から、回線ポート１０４を経由して、試験モード、試験ＶＬＡＮ番号の指定、試験パケットの送信回線ポート、試験終了時間（ａｇｉｎｇｔｉｍｅ  ）を設定されると試験制御部１１３に通知され、ａｇｉｎｇｔｉｍｅ  に指定された時間を設定する。
【００６０】
次に、試験制御部１１３から試験パケット送信制御部１１１に試験パケット送信指示がされ試験用ＭＡＣアドレスを宛先とする試験パケットを生成し試験ＶＬＡＮ、試験モード、試験番号を設定した後、スイッチ１０１を経由して指定回線ポート１０３Ａに送信される。ａｇｉｎｇｔｉｍｅ  に指定された時間が満了すると試験モードは自動的に解除される。
【００６１】
以下にスイッチ導通トレースモードの受信Ｌ２ＳＷ側の動作を説明する。ネットワーク監視装置は回線ポート１０４に接続されていると仮定する。また、試験パケット送信スイッチは回線ポート１０３Ａに接続されていると仮定する。
【００６２】
ネットワークの監視装置から、回線ポート１０４を経由して、試験モードを設定されると、試験制御部１１３に通知され試験制御部１１３から試験パケット受信部１１２を経て個別ＭＡＣ検出装置１０５に対して試験パケットを受信するため試験パケットＭＡＣアドレスを宛先に持つ試験パケットの検出を指示する。また、個別ＭＡＣ検出装置１０５は、入力パケット解析装置１０２に対して受信したパケットを個別ＭＡＣ検出装置１０５へ通知するように設定する。
【００６３】
次に、回線ポート１０３Ａからパケットを受信すると、入力パケット解析装置１０２を経て個別ＭＡＣ検出装置１０５へ渡され受信したパケットが、試験用ＭＡＣアドレスを宛先とする試験パケットだった場合は試験パケット受信部１１２へ通知され試験パケットの正常性を確認した後、受信した回線ポート１０３Ａのポート番号情報と併せて試験制御部１１３へ渡される。
【００６４】
試験制御部１１３では試験モードを確認し、スイッチ導通トレースモードの場合、試験パケット内ｓｗ＿ｃｏｕｎｔに１を加算する。次に、試験対象のＶＬＡＮが属しているポート番号を、接続制御部１１０から入手する。その回線ポート番号のうち、試験パケットを受信した回線ポート１０３Ａ以外のポートへ試験パケットを送信すると同時に、ネットワーク監視装置へ試験パケット通過を通知する。これをネットワークエッジのＬ２ＳＷまで繰り返すことによりネットワーク上のどのＬ２ＳＷを通過しているかが検出可能である。
【００６５】
試験制御部１１３では処理中試験パケット内のａｇｉｎｇｔｉｍｅ  を保持し、減算していく。ａｇｉｎｇｔｉｍｅ  に指定された時間が満了すると試験モードは自動的に解除される。また、ａｇｉｎｇｔｉｍｅ  に指定された時間が満了以前に、同一試験番号をもつ試験パケットを受信した場合、ネットワーク監視装置へ試験パケット２重受信の通知を行うことでネットワークのループを検出する事が可能となる。
【００６６】
図４において試験パケット送信Ｌ２ＳＷを図２におけるＬ２ＳＷ２０１とし、図４の試験パケット中継Ｌ２ＳＷは図２のＬ２ＳＷ２０２とする。図４の導通確認対象Ｌ２ＳＷは図２のＬ２ＳＷ２０４とする。図４のネットワーク監視装置は図２のネットワーク監視装置２０７とする。
【００６７】
Ｌ２ＳＷ２０１から送信される試験パケットのフォーマットを図７に示す。Ｌ２ＳＷ２０２、２０４から送信される試験パケットのフォーマットも図７に示すフォーマットを使用する。
【００６８】
試験パケット送信Ｌ２ＳＷにおける送信フローチャートを図８に示す。試験パケット中継Ｌ２ＳＷ、試験パケット対象Ｌ２ＳＷにおける送受信フローチャートを図１０、図１１に示す。
【００６９】
図４において、ネットワーク監視装置から試験パケット送信Ｌ２ＳＷに対してスイッチ導通トレースモード設定を行う（１）。ネットワーク監視装置から試験パケット中継Ｌ２ＳＷに対してスイッチ導通トレースモード設定を行う（２）。ネットワーク監視装置から試験パケット対象Ｌ２ＳＷに対してスイッチ導通トレースモード設定を行う（３）。図２において、Ｌ２ＳＷ２０１、Ｌ２ＳＷ２０２、Ｌ２ＳＷ２０４はスイッチ導通トレースモード設定状態となる。
【００７０】
図４において、ネットワーク監視装置から試験パケット送信Ｌ２ＳＷに対して試験パケット送信要求（４）を行う。このとき同時に、試験ＶＬＡＮ番号の指定、試験パケットの送信回線ポート、試験終了時間（ａｇｉｎｇｔｉｍｅ  ）設定も行う。
【００７１】
送信要求された試験パケット送信Ｌ２ＳＷは、図７のフォーマットの試験パケットを、図８に示すフローチャートに従って編集する。まず、ネットワーク監視装置から設定された試験モードの判別を行う図８のＳ８０１、Ｓ８０２、Ｓ８１４）。スイッチ導通トレースモード時、図７のＤＡ〜パディングまでの設定を行う（図８のＳ８１５〜Ｓ８２４）。
【００７２】
図４において、試験ネットワーク監視装置から指定された回線ポートへ試験パケットを送信する（５）（図８のＳ８２５）。図７のＦＣＳは送信時に図１の試験パケット送信部１１１内のハードウェアで自動計算され設定される。
【００７３】
試験パケットを受信した試験パケット中継Ｌ２ＳＷは、図１の入力パケット解析装置１０２を経て個別ＭＡＣ検出装置１０５へ渡され、受信パケットのＤＡが試験用ＭＡＣアドレスか判別される（図１０のＳ１００１）。試験用ＭＡＣアドレスをＤＡにもつパケットである場合、受信した回線ポート番号情報と共に図１の試験パケット受信部１１２を経由して、図１１３の試験制御部に渡され、モード判定を行う（図１０のＳ１００４、Ｓ１０１１）。スイッチ導通トレースモード時、試験状態がエージング処理中の判定を行い（図１０のＳ１０１２）、処理中でない場合、図７のフォーマットのｓｗ＿ｃｏｕｎｔに１加算する（図１０のＳ１０１３）。編集した試験パケットを次のＬ２ＳＷへ転送するため試験対象ＶＬＡＮが属している回線ポート情報を収集する（図１０のＳ１０１４）。収集した回線ポートから試験パケットを受信した回線ポートを除いた回線ポート全てに対して試験パケットを転送する（図１０のＳ１０１５）。
【００７４】
図７の試験パケット内エージング時間（ａｇｉｎｇｔｉｍｅ  ）を図１における試験制御装置１１３内のエージングカウンタに設定（図１０のＳ１０１６）。図１における試験制御装置１１３内試験状態をエージング処理状態へ設定（図１０のＳ１０１６）した後、ネットワーク監視装置へ試験パケットが通過したことを通知（図１０のＳ１０１７、図４の６）。
【００７５】
もし、試験状態が、エージング処理中に同一図７におけるｔｅｓｔ＿ｎｏ  をもつ試験パケットを受信した場合ネットワークにループが発生していると判断し、ネットワーク受信装置に２重パケット受信を通知し（図１０のＳ１０１９）、受信パケットを廃棄する（図１０のＳ１０２０）。
【００７６】
以降試験パケット対象Ｌ２ＳＷについても試験パケット中継Ｌ２ＳＷと同じ処理を行う。試験パケット対象Ｌ２ＳＷ以降は試験パケットを転送するＬ２ＳＷが存在しないためエージング処理完了後自動的にスイッチ導通トレースモードは解除される（図１１）。スイッチ導通トレースモード解除は、ネットワーク監視装置からの指示で解除可能である（図４の１０、１１、１２）。
【００７７】
次に、本発明の他の実施例について説明する。上述した実施例においてはコアＬ２ＳＷからエッジＬ２ＳＷ方向の実施例を示したが、エッジＬ２ＳＷからコアＬ２ＳＷ方向の試験も実施可能である。また、上述した実施例では、ＩＥＥＥ  ８０２．１ＱＶＬＡＮフレームを例に示したが、ＶＬＡＮタグを多重スタッキングしたフレームについても実施可能である。
【００７８】
【発明の効果】
本発明によれば、イーサネット（Ｒ）ワークにおいて時間とコストのかかるネットワーク設備の検証、例えば、パケットの導通確認や、導通ルートのトレース、ネットワークループの検出を選択、設定し、遠隔操作により簡単に検証できるので、ネットワーク保守のコストダウンを可能とする。
【図面の簡単な説明】
【図１】本発明の原理的構成を示すブロック図である。
【図２】本発明の実施形態の構成を示すブロック図である。
【図３】導通確認モードを示すシーケンス図である。
【図４】スイッチ導通トレースモードを示すシーケンス図である。
【図５】導通確認モードにおける送信試験パケットのフォーマットを示す図である。
【図６】導通確認モードにおける返信試験パケットのフォーマットを示す図である。
【図７】スイッチ導通トレースモードにおける送信試験パケットのフォーマットを示す図である。
【図８】試験パケット送信Ｌ２ＳＷにおける送信フローチャートである。
【図９】試験パケット送信Ｌ２ＳＷにおける受信フローチャートである。
【図１０】導通確認対象Ｌ２ＳＷにおける送受信フローチャートである。
【図１１】試験パケット受信Ｌ２ＳＷにおけるエージング処理フローチャートである。
【図１２】本発明にかかり、従来における一般的構成図である。
【符号の説明】
１０１  スイッチ
１０２  入力パケット解析装置
１０３Ａ  回線ポート
１０３Ｂ  回線ポート
１０４  回線ポート
１０５  個別ＭＡＣ検出装置
１０６  ＣＰＵ
１０７  メモリ
１０８  制御装置
１０９  回線状態保持部
１１０  接続制御部
１１１  試験パケット送信部
１１２  試験パケット受信部
１１３  試験制御部
１１４  メッセージ送信制御部
２０１〜２０６  レイヤ２スイッチ（Ｌ２ＳＷ）
２０７  ネットワーク監視装置
【図１】
2004364065.tif 000003
【図２】
2004364065.tif 000004
【図３】
2004364065.tif 000005
【図４】
2004364065.tif 000006
【図５】
2004364065.tif 000007
【図６】
2004364065.tif 000008
【図７】
2004364065.tif 000009
【図８】
2004364065.tif 000010
【図９】
2004364065.tif 000011
【図１０】
2004364065.tif 000012
【図１１】
2004364065.tif 000013
【図１２】
2004364065.tif 000014